(57)【要約】【課題】水処理プラントが広域化、大規模化される場合に、異常時の監視を容易にする。【解決手段】表示画面登録部６に登録された監視画面を選択するための監視画面選択領域5Da1、この監視画面選択領域により選択された監視画面を表示する選択画面表示領域5Da2、この選択画面表示領域に表示された監視画面の中で指示されたものが指示されたようにレイアウトを変更されて表示されるレイアウト変更画面表示領域5Da4が設けられた画面を表示し、監視装置で監視するための監視画面を作成する画面レイアウト変更装置５を備え、レイアウト変更画面表示領域に表示されたレイアウト変更画面及びその画面上に表示される監視対象計測値が前記監視装置で表示できるように、指示された監視装置に送られる水処理プラント監視システム。【選択図】図４
2009181436.tif 000002
【特許請求の範囲】
【請求項１】
水処理プラントの設備運転状態及び計測値を監視画面に表示して監視を行う複数の監視装置と、
前記監視装置が表示する前記監視画面が登録される表示画面登録部と、
前記表示画面登録部に登録された前記監視画面を選択するための監視画面選択領域、この監視画面選択領域により選択された前記監視画面を表示する選択画面表示領域、この選択画面表示領域に表示された前記監視画面の中で指示されたものが指示されたようにレイアウトを変更されて表示されるレイアウト変更画面表示領域が設けられた画面を表示し、前記監視装置で監視するための前記監視画面を作成する画面レイアウト変更装置とを備え、
前記レイアウト変更画面表示領域に表示されたレイアウト変更画面及びその画面上に表示される監視対象計測値が前記監視装置で表示できるように、指示された前記監視装置に送られることを特徴とする水処理プラント監視システム。
【請求項２】
請求項１に記載の水処理プラント監視システムにおいて、
前記選択画面表示領域に表示された前記監視画面の範囲を指定でき、指定された範囲の前記監視画面を前記レイアウト変更画面表示領域に表示することを特徴とする水処理プラント監視システム。
【請求項３】
請求項１または請求項２に記載の水処理プラント監視システムにおいて、
前記水処理プラントが監視管轄の複数個の水処理プラントであることを特徴とする水処理プラント監視システム。
【請求項４】
請求項３に記載の水処理プラント監視システムにおいて、
前記監視装置が、各水処理プラントの設備を監視するローカル監視装置と、すべての水処理プラントの設備を監視する総合監視装置とであり、
前記総合監視装置が設けられる総合監視所に前記画面レイアウト変更装置を設けることを特徴とする水処理プラント監視システム。
【請求項５】
請求項４に記載の水処理プラント監視システムにおいて、
前記総合監視装置と前記画面レイアウト変更装置とが個別に設けられていることを特徴とする水処理プラント監視システム。
【請求項６】
請求項４に記載の水処理プラント監視システムにおいて、
前記総合監視装置に前記画面レイアウト変更装置が組み込まれていることを特徴とする水処理プラント監視システム。
【請求項７】
請求項１または請求項２に記載の水処理プラント監視システムにおいて、
前記水処理プラントが１個の水処理プラントであることを特徴とする水処理プラント監視システム。
【請求項８】
請求項３〜請求項７の何れか一に記載の水処理プラント監視システムにおいて、
前記監視画面を表示する携帯端末をさらに備え、
前記携帯端末に前記レイアウト変更画面及びその画面上に表示される監視対象計測値を送ることを特徴とする水処理プラント監視システム。
【請求項９】
請求項１〜請求項８の何れか一に記載の水処理プラント監視システムにおいて、
前記監視装置に表示された前記監視画面毎の表示回数が前記表示画面登録部に登録され、前記監視対象計測値が異常状態である場合に、前記監視対象計測値を表示する前記監視
画面の中で前記監視装置での表示回数が大きいものから所定個の前記監視画面が前記レイアウト変更画面表示領域に自動的に表示することを特徴とする水処理プラント監視システム。
【請求項１０】
請求項１〜請求項９の何れか一に記載の水処理プラント監視システムにおいて、
前記画面レイアウト変更装置が、前記レイアウト変更画面表示領域に表示された画面を変更する画面内容変更機能を備えていることを特徴とする水処理プラント監視システム。
【請求項１１】
請求項１〜請求項１０の何れか一に記載の水処理プラント監視システムにおいて、
前記画面レイアウト変更装置が、メモ作成機能を備え、このメモ作成機能により作成されたメモが、前記レイアウト変更画面と共に指示された前記監視装置に送られることを特徴とする水処理プラント監視システム。
【請求項１２】
請求項１〜請求項１１の何れか一に記載の水処理プラント監視システムにおいて、
前記レイアウト変更画面を発生した異常と共に登録するレイアウト画面登録部を備え、
前記画面レイアウト変更装置が、発生している異常に対応する前記レイアウト画面登録部に保存されている前記レイアウト変更画面を自動で読み出して、前記レイアウト変更画面表示領域に表示する画面レイアウト再読込み機能機能を備えていることを特徴とする水処理プラント監視システム。
【請求項１３】
請求項１〜請求項１２の何れか一に記載の水処理プラント監視システムにおいて、
前記レイアウト変更画面を登録するレイアウト画面登録部を備え、
前記監視装置が、表示している画面のレイアウトを修正して前記レイアウト画面登録に登録するレイアウト修正機能を備えていることを特徴とする水処理プラント監視システム。
【発明の詳細な説明】
【技術分野】
【０００１】
この発明は、水処理プラントの設備運転状態及び計測値を表示画面に表示して監視を行う水処理プラント監視システムに関するものである。
【背景技術】
【０００２】
従来の原子力発電プラント、火力発電プラント等の発電プラントの監視制御装置においては、故障等発生時に監視する画面に表示するプラント設備・情報を監視に必要なレイアウトとしたレイアウト固定の監視画面を予め登録しておくことで故障時にそのレイアウト固定の監視画面を開くことで監視を行っている。（例えば、特許文献１参照）
【０００３】
【特許文献１】特開平９−６４３０号公報（第１頁）
【発明の開示】
【発明が解決しようとする課題】
【０００４】
例えば、同一河川に複数の水処理プラントが存在する場合は、各水処理プラント毎に設置の監視装置により個別にプラント設備の運転状態を監視し個別にプラント制御するだけでなく、例えば河川水位の管理上の制約がある場合や河川水位によって取水量が変化する場合等には、例えば下流側の水処理プラントでポンプ異常が発生した場合、上流側の水処理プラントのプラント設備の運転状態を確認しながら下流側の水処理プラントの正常なポンプの運転を制御する必要がある。
【０００５】
しかしながら各水処理プラントはそのプラント規模、プラント設備の種類、台数、容量などが異なるため、各水処理プラントの各々において他の各水処理プラントのプラント規模、プラント設備の種類、台数、容量などを掌握して自プラントの設備の監視、制御、保守などを行うためには、各水処理プラントの各々に、他の各水処理プラントのプラント規模、プラント設備の種類、台数、容量などを熟知した相応の高度専門要員を配置する必要があるが、各プラントに高度専門要員を配置する必要があるという問題がある。
【０００６】
また、他の各水処理プラントのプラント規模、プラント設備の種類、台数、容量などを熟知した高度専門要員を各プラントに配置するにしても、各水処理プラントにおいて、想定される異常に対応した多数の監視単位設備の監視画面の準備、更には、想定される異常に対応した多数の監視単位設備に関連する他の各水処理プラントの監視単位設備の多数の監視画面も準備する必要があり、これら多数の監視画面を保存した監視装置を仮に構築したとしても予め準備しておく監視画面数が膨大となり、高価なものとなるだけでなく、故障などの異常発生時にその対応のために画面に必要な監視単位設備の監視画面を選択的に表示するのが煩雑であり、しかも一画面に一つの監視単位設備の監視画面しか表示できないため、高度専門要員であっても時間がかかり、更に、監視画面はそのレイアウトが固定であるが故に異常に直接関係しない異常対応には不要なものも必然的に含んでいる。かかる監視装置を仮に構築したとしても、高度専門要員は自己の判断で、異常に対応した自プラントの監視単位設備、及びその関連する他の各水処理プラントの監視単位設備の監視画面を画面上に時間的間隔を隔てて表示操作しなければならず、異常時の監視、制御の作業が煩雑となり、監視、制御に時間を要するので、監視、制御に要する時間を短くする工夫をする必要がある。
【０００７】
また、水処理プラントが大規模、高機能化された場合は、監視の範囲の広域化・高度化に伴い、複数の監視制御装置で監視対象・処理を分担して行えるように複数の監視制御装置を含めた水処理プラント監視システムを構築することが好ましい。
【０００８】
また、故障等が発生した際にも、１台の監視制御装置にその監視・制御を集約し、その他の監視制御装置では、通常のプラント監視を継続することが好ましい。
【０００９】
また、故障などの異常を起こした機器が存在する場所に移動し、異常状況およびその処理を確認する場合などには、監視制御装置とは解像度が異なる携帯端末等にて監視を行なえる方が好都合である。
【００１０】
さらに、故障の発生は、単独で起こる場合もあるが、複数の要因により発生する場合もあり、監視・制御の集約を行う際には、現在発生している故障の要因に見合った画面を自由にレイアウトし、必要な監視装置や携帯端末等にその画面を転送できれば更に好都合である。レイアウトが自由に変更できない場合、各監視装置・携帯端末毎に様々な画面を事前に登録しておく必要があり、また画面に登録された情報が不十分であった場合には、故障の各種要因が表示された各種監視画面を逐一表示するなど操作が煩雑となる問題が生じる。
【００１１】
この発明は前述のような課題を解決するためになされたものであり、水処理プラントが広域化、大規模化される場合に、異常時の監視を容易にすることを目的とするものである。
【課題を解決するための手段】
【００１２】
この発明に係る水処理プラント監視システムは、
水処理プラントの設備運転状態及び計測値を監視画面に表示して監視を行う複数の監視装置と、
前記監視装置が表示する前記監視画面が登録される表示画面登録部と、
前記表示画面登録部に登録された前記監視画面を選択するための監視画面選択領域、この監視画面選択領域により選択された前記監視画面を表示する選択画面表示領域、この選択画面表示領域に表示された前記監視画面の中で指示されたものが指示されたようにレイアウトを変更されて表示されるレイアウト変更画面表示領域が設けられた画面を表示し、前記監視装置で監視するための前記監視画面を作成する画面レイアウト変更装置とを備え、
前記レイアウト変更画面表示領域に表示されたレイアウト変更画面及びその画面上に表示される監視対象計測値が前記監視装置で表示できるように、指示された前記監視装置に送られるものである。
【発明の効果】
【００１３】
この発明は、水処理プラントの設備運転状態及び計測値を監視画面に表示して監視を行う複数の監視装置と、
前記監視装置が表示する前記監視画面が登録される表示画面登録部と、
前記表示画面登録部に登録された前記監視画面を選択するための監視画面選択領域、この監視画面選択領域により選択された前記監視画面を表示する選択画面表示領域、この選択画面表示領域に表示された前記監視画面の中で指示されたものが指示されたようにレイアウトを変更されて表示されるレイアウト変更画面表示領域が設けられた画面を表示し、上記監視装置で監視するための前記監視画面を作成する画面レイアウト変更装置とを備え、
前記レイアウト変更画面表示領域に表示されたレイアウト変更画面及びその画面上に表示される監視対象計測値が前記監視装置で表示できるように、指示された前記監視装置に送られるので、予め準備された監視単位設備の監視画面だけに制約されることなく監視に必要な複数の監視単位設備の画面およびその画面上に表示の対象計測値を監視装置の表示画面に表示でき、異常時の監視を容易にすることができる効果がある。
【発明を実施するための最良の形態】
【００１４】
実施の形態１．
以下この発明の実施の形態１を図１〜図４により説明する。図１は同一河川の複数箇所に水処理プラントが設けられている水処理プラント配置事例を示す図、図２は図１の事例にこの発明を適用した水処理プラント監視システムのシステム構成の事例を示す図、図３は図２における画面レイアウト変更装置、転送装置、及び監視装置の動作（機能）の事例をフローチャートで示す図、図４は図２における画面レイアウト変更装置の画面表示例を示す図である。
【００１５】
以下、この発明の実施の形態１を図に基づいて説明する。図１において、同一河川の本流1m及び支流1dに、複数の水処理プラントであるＡプラント（水処理）2A、Ｂプラント（水処理）2B、Ｃプラント（水処理）2Cが設けられ、各プラントは、対応プラントの受変電設備、送水設備、通信ネットワーク等のプラント構成設備や設備を構成する機器の状態を計測しまた制御するコントローラ2A1,2B1,2C1、及び計測値により対応プラントの運転状
態を監視する監視装置2A2,2B2,2C2を備えている。各コントローラ2A1,2B1,2C1、及び各監視装置2A2,2B2,2C2は、通信ネットワークであるプラント間ネットワーク３で接続されて
いる。
【００１６】
Ａプラント（水処理）2Aは、Ｂプラント（水処理）2B、Ｃプラント（水処理）2Cより上流にある。
【００１７】
Ａプラント（水処理）2Aより上流での可成りの量の降雨４により河川1m、1dが増水した場合は、各プラント2A,2B,2Cでは、上水処理、下水処理、河川水量制御など、その機能や河川水位管理上の制約等に応じて、取水量や排水量、等がコントローラ2A1,2B1,2C1によ
り制御される。
【００１８】
なお、本実施の形態１ではＢプラント（水処理）2Bは、河口近辺にあり規模の大きな市街を対象した水処理プラントであり他のプラント2A,2Cより規模が大きく、その設備や設
備構成機器の規模や容量も他のプラント2A,2Cより大きいものとして説明する。
【００１９】
Ｂプラント（水処理）2Bでは、他のプラント2A,2Cの測定値をプラント間ネットワーク
３を介して収集し、自己のプラント2Bの監視および制御、及び他のプラント2A,2Cの監視
を行う。つまり、ローカル監視以外に総合的監視も行う。他のプラント2A,2Cは自己の監
視、つまりローカル監視のみを行う。
【００２０】
このような図１の事例に適用する水処理プラント監視システムは、本実施の形態では、その構成の事例を図２に例示するように、監視要員あるいは保守要員用の携帯端末2mvも
監視装置として使用し、前記総合的な監視を行うＢプラント（水処理）2Bの総合監視装置2B2を設置する総合監視所2BSには、複数の前記監視用の監視画面を画面上で組み合わせて監視画面として準備されていない画面を作成する（つまり表示画面のレイアウトを変更する）ための画面レイアウト変更装置５、監視用の複数の監視画面を保存しておく表示画面登録部６、画面レイアウト変更装置５で作成されたレイアウト画面を保存するレイアウト画面登録部７、画面レイアウト変更装置５で作成されたレイアウト画面を必要な監視装置（ローカル監視を行う監視装置）2A2，2C2、携帯端末2mvの少なくとも一つに送信する転
送装置８が設けられている。監視装置（ローカル監視を行う監視装置）2A2，2C2、携帯端末2mvでの画面表示に必要な監視画面は、表示画面登録部６に保存してある複数の監視画
面の中からネットワーク３を介して提供される。つまり、表示画面登録部６は、監視装置2A2，2B2，2C2、携帯端末2mvに共用である。
【００２１】
画面レイアウト変更装置５の概略操作、主機能は次の通りである。
高度専門要員が、前記レイアウト画面を転送する転送先の装置を選択する（図３のステップＳＴ−１）。
水処理プラントより故障情報等を読み込むことで発生している故障の情報が表示されている監視対象の監視単位設備の画面を高度専門要員が選択すると共に故障の情報が表示されている監視対象の監視単位設備と関連する他の監視単位の設備（以下「監視単位設備」と略記する）の画面を高度専門要員が選択する（図３のステップＳＴ−２）。
図３のステップＳＴ−２で選択した画面を高度専門要員の判断で転送先装置の解像度に合せて必要に応じて拡大・縮小を行い、拡大・縮小した或いは拡大・縮小しない画面上の表示画面をレイアウト変更画面表示領域に高度専門要員がレイアウトし、レイアウトされたレイアウト画面はレイアウト画面登録部に登録される（図３のステップＳＴ−３）。
図３のステップＳＴ−３で登録された画面を転送装置により必要な転送先装置（図３のステップＳＴ−１で選択した装置（監視装置2A2，2C2、携帯端末2mvの少なくとも一つ）
に転送する（図３のステップＳＴ−４）。
【００２２】
前述の画面レイアウト変更装置５の主機能による具体的な画面表示例を、以下に、図４により説明する。
【００２３】
図４に例示してあるように、画面レイアウト変更装置５の表示画面5Dには、監視画面選択領域5Da1、選択画面表示領域5Da2、転送先選択領域5Da3、レイアウト変更画面表示領域5Da4、拡大縮小選択指示領域5Da5、および転送指示領域5Da6が設けられている。レイアウト変更画面表示領域5Da4には、領域の範囲が可変の転送可能領域5Da4taが設けられている。なお、転送先選択領域5Da3は、レイアウト変更画面表示領域5Da4と同じ画面に表示されなくてもよい。
【００２４】
監視画面選択領域5Da1には、各プラントの監視単位設備毎に定常状態であること及び故障発生などの異常が発生したことを表示する領域であり、選択操作されることにより、監視単位設備の構成および監視単位設備におけるダイナミックな計測値を、選択画面表示領域5Da2に表示させる機能が作動する領域である。
【００２５】
監視画面選択領域5Da1には、選択操作される監視単位設備毎の操作ボタンが設けられており、具体的には、Ａ受変電設備B1A、Ｂ受変電設備B1B、Ｃ受変電設備B1C、Ａ送水設備B2A、Ｂ送水設備B2B、Ｃ送水設備B2C、Ａプラント内監視制御ネットワークB3A、Ｂプラン
ト内監視制御ネットワークB3B、Ｃプラント内監視制御ネットワークB3C、ほかの操作ボタンが設けられている。
【００２６】
Ａ受変電設備B1A、Ａ送水設備B2A、Ａプラント内監視制御ネットワークB3A、ほかは、
Ａプラント（水処理）2Aの監視単位設備毎の操作ボタンである。Ｂ受変電設備B1B、Ｂ送
水設備B2B、Ｂプラント内監視制御ネットワークB3B、ほかは、Ｂプラント（水処理）2Bの監視単位設備毎の操作ボタンである。Ｃ受変電設備B1C、Ｃ送水設備B2C、Ｃプラント内監視制御ネットワークB3C、ほかは、Ｃプラント（水処理）2Cの監視単位設備毎の操作ボタ
ンである。
【００２７】
監視単位設備内の設備あるいは設備構成機器に故障などの異常が発生した場合は、当該異常発生の監視単位設備に対応する操作ボタンが例えば点滅動作や赤色表示となり、本実施の形態では、Ｃプラント（水処理）の監視単位設備であるＣ送水設備が異常である場合を例示してある。
【００２８】
Ｃプラント（水処理）の監視単位設備であるＣ送水設備が異常であり、画面レイアウト変更装置５が設置されている総合監視所2BSにおける高度専門要員が、その操作ボタンB2C
を選択操作し、更に、水処理プラント配置（図１）からＣプラント（水処理）2Cの送水系と例えば河川水位管理の観点で関連する水処理プラントがＡプラント（水処理）2Aであると専門的な判断をし、そのＡ送水設備の操作ボタンB2Aを選択操作した事例を図４に例示
してある。
【００２９】
Ｃ送水設備の操作ボタンB2Cが選択操作されると、表示画面登録部６に保存のＣ送水設
備の監視画面B2CDが、画面レイアウト変更装置５の機能により図４に例示のように選択画面表示領域5Da2に表示される。
同様に、Ａ送水設備の操作ボタンB2Aが選択操作されることにより、表示画面登録部６
に保存のＡ送水設備の監視画面B2ADが、画面レイアウト変更装置５の機能により図４に例示のように選択画面表示領域5Da2に表示される。
つまり、操作ボタンB1A，B1B，B1C，B2A，B2B，B2C，B3A，B3B，B3C，ほかの少なくと
も一つが選択操作されると、当該選択操作された操作ボタンに対応する監視単位設備の監視画面が、画面レイアウト変更装置５の機能により表示画面登録部６から抽出され、抽出された監視画面が選択画面表示領域5Da2に表示される。
【００３０】
図４の事例では、選択画面表示領域5Da2に表示されたＣ送水設備（監視単位設備）における設備、設備構成機器は、水処理用の第一の池Pd1、水処理用の第二の池Pd2、河川の支流1bから第一の池Pd1への取水量を調節する取水弁Vi、第一の池Pd1から水処理用の第二の池Pd2へ揚水する複数のポンプP1，P2、第二の池Pd2の排水量を調節する排水弁Voである。
また、Ｃプラント（水処理）2Cのコントローラ2C1から画面レイアウト変更装置５に送
信された計測値から、ポンプP1が異常であり、ポンプP2が定常運転中である各状態を、ポンプP1，P2の表示形態を変えることで表示した例を示してある。即ち、本事例では、異常状態のポンプP1の表示P1を囲む円が点滅、定常運転中のポンプP2の表示P2を囲む円が太い実線で表示されている。
【００３１】
同様に、図４の事例では、選択画面表示領域5Da2に表示されたＡ送水設備（監視単位設備）における設備、設備構成機器は、水処理用の第一の池Pd1、水処理用の第二の池Pd2、河川の支流1bから第一の池Pd1への取水量を調節する取水弁Vi、第一の池Pd1から水処理用の第二の池Pd2へ揚水する複数のポンプP1，P2、第二の池Pd2の排水量を調節する排水弁Voである。  また、Ｃプラント（水処理）2Cのコントローラ2C1から画面レイアウト変更装
置５に送信された計測値から、ポンプP1，P2が共に定常運転中である各状態を、ポンプP1，P2の表示形態で表示した例を示してある。即ち、本事例では、定常運転中のポンプP1，P2の表示P1，P2を囲む各円が太い実線で表示されている。
【００３２】
また、選択画面表示領域5Da2には、監視単位設備の設備、設備構成機器の各種状態の測定値がダイナミックな値として表示される。図４の事例では、Ｃ送水設備のポンプP1の入力電圧の測定値CP1vが「CP1v：xxV」と表示され、同ポンプP1の出力（ポンプ回転数、ポ
ンプ吐出圧、ポンプ出口の吐出流量など）の測定値CP1oが「CP1o：xxx」と表示される。
また、Ｃ送水設備のポンプP2の入力電圧の測定値CP2vが「CP2v：yyV」と表示され、同ポ
ンプP2の出力の測定値CP2oが「CP2o：yyy」と表示されている。
【００３３】
同様に、選択画面表示領域5Da2には、Ａ送水設備のポンプP1の入力電圧の測定値AP1vが「AP1v：xxV」と表示され、同ポンプP1の出力の測定値CP1oが「AP1o：xxx」と表示される。また、Ａ送水設備のポンプP2の入力電圧の測定値AP2vが「AP2v：yyV」と表示され、同
ポンプP2の出力の測定値AP2oが「AP2o：yyy」と表示される。
【００３４】
拡大縮小選択指示領域5Da5には、拡大ボタンB4k、および縮小ボタンB4sが設けられ手いる。選択画面表示領域5Da2に表示されている画面（図４ではＣ送水設備の監視画面B2CD及びＡ送水設備の監視画面B2AD）は、拡大ボタンB4kが選択操作されると全体的に拡大され
、縮小ボタンB4sが選択操作されると全体的に縮小される。
これら拡大ボタンB4k及び縮小ボタンB4sの選択操作は、前述の高度専門要員の判断で、後述の転送先装置の解像度に合わせるために行われる。
【００３５】
転送指示領域5Da6には、レイアウト変更画面表示領域5Da4の転送可能領域5Da4ta内に表示の画面を転送したい転送先装置に転送するときに選択操作するための複数の操作ボタンが設けられている。これらの転送先装置選択用の操作ボタンの事例として、図４では、Ａプラント（水処理）の携帯端末を選択するための操作ボタンであるA携帯端末B5Amvs、Ａ
プラント（水処理）の監視装置を選択するための操作ボタンであるA監視装置B5Ams、Ｂプラント（水処理）の携帯端末を選択するための操作ボタンであるB携帯端末B5Bmvs、Ｂプ
ラント（水処理）の監視装置を選択するための操作ボタンであるB監視装置B5BAms、Ｃプ
ラント（水処理）の携帯端末を選択するための操作ボタンであるC携帯端末B5Cmvs、Ｃプ
ラント（水処理）の監視装置を選択するための操作ボタンであるC監視装置B5Cmsを例示してある。
【００３６】
画面レイアウト変更装置５の転送可能領域5Da4taには、前述の選択画面表示領域5Da2に表示の複数の監視単位設備の監視画面B2CD，B2ADをレイアウト変更画面表示領域5Da4の転送可能領域5Da4taに、高度専門要員がドラッグすることにより、複数の監視単位設備の監視画面を任意のレイアウトとした複合画面が表示される。
【００３７】
図４では、選択画面表示領域5Da2に表示の監視画面B2CDが高度専門要員により範囲指定された一点鎖線で囲まれた範囲内の画面2CDsaがドラッグによりレイアウト変更画面表示
領域5Da4の転送可能領域5Da4ta内の左側にレイアウトされた画面B2Cdsacと、選択画面表
示領域5Da2に表示の監視画面B2ADが高度専門要員により範囲指定された一点鎖線で囲まれた範囲内の画面2ADsaがドラッグによりレイアウト変更画面表示領域5Da4の転送可能領域5Da4ta内の右側にレイアウトされた画面B2ADsacとの複合画面が、レイアウト変更画面表示領域5Da4の転送可能領域5Da4ta内に作成された事例を示してある。また、前記ドラッグをすると、一点鎖線で囲まれた範囲内に表示されているダイナミックな計測値表示（被計測量の変化に伴ってダイナミックに変化する）もレイアウト変更画面表示領域5Da4の転送可能領域5Da4ta内にドラッグされる。
【００３８】
なお、前記範囲指定をしない場合は、選択画面表示領域5Da2に表示の監視画面B2CD，B2ADの画面全体がレイアウト変更画面表示領域5Da4の転送可能領域5Da4ta内にレイアウトされる。
【００３９】
レイアウト変更画面表示領域5Da4の転送可能領域5Da4ta内にレイアウトされた画面（計測値表示も含む）は、転送指示領域5Da6に設けられた転送指示用の転送ボタンB6tiが操作されることにより、転送先選択ボタンで選択された転送先に転送され（つまり、指示された前記監視装置に送られ）、転送先である前記監視装置の表示画面に、転送されてきたレイアウト変更画面（計測値表示も含む）が表示される。
【００４０】
即ち、本実施の形態１によれば、表示画面登録部６に予め準備された複数の監視画面（レイアウトが固定の監視画面）を利用し、異常プラント、異常計測値に関連する人為的に選択された複数の監視単位設備の各監視画面が選択画面表示領域5Da2に表示され、選択画面表示領域5Da2に表示された複数の監視単位設備の監視画面の画面全体あるいは一部（少なくとも一部）を適当な大きさに拡大・縮小した画面（計測値表示も含む）をマウス等でドラッグして、表示画面登録部に予め準備された監視画面には無いレイアウトの画面（監視画面からレイアウトを変更した画面）をレイアウト変更画面表示領域5Da4に、計測値表示（被計測量の変化に伴ってダイナミックに変化する）も含めて貼り付け、このレイアウト変更画面表示領域5Da4に貼り付けられたレイアウト変更画面（計測値表示も含む）が、
転送ボタンB6tiが操作されることにより、転送先選択ボタンで選択された転送先に転送され、転送先の表示画面に、転送されてきたレイアウト変更画面（計測値表示も含む）が表示されるので、転送された転送先装置にて故障等の異常情報を集約監視・制御をすることが可能になり、故障に対する操作性が向上する。例えば前記転送操作により前記計測値のデータテーブルがレイアウト変更画面の画像データと共に転送されるようにすれば、転送先の表示画面に、転送されてきたレイアウト変更画面（計測値表示も含む）が表示される。また、前記計測値のデータテーブルは、対応する画面データと関連づけて前記レイアウト画面登録部2B7に保存される。前記レイアウト画面登録部2B7に保存された前記データテーブルに保存されている前記計測値は、被計測量の変動に応じて変わる（被計測量の変動に応じてダイナミックに変化する）ようにしてある。
【００４１】
なお、前述の画面レイアウト変更装置５は、総合監視装置2B2内に組み込んでもよく、
総合監視装置2B2と別体としてもよい。また、画面レイアウト変更装置５の表示画面5Dは
総合監視装置2B2の表示画面と共用としてもよく、別体としてもよい。
【００４２】
本実施の形態１は、前述のように、プラントの設備運転状態及び計測値を表示する水処理プラントの監視システムにおいて、画面レイアウト変更装置により、予め準備された複数の監視単位設備の監視画面（レイアウトが固定の監視画面）から、監視に必要な画面を絞り込み、それらの画面を複合して監視に必要な複合画面にレイアウトし、この監視に好都合なようにレイアウトされた画面およびその監視対象計測値が、転送装置によって監視を行う装置に転送されるものであり、具体的には、監視管轄の水処理プラントの設備運転状態及び計測値を表示画面に表示して監視を行う複数の監視装置、及び表示画面に、監視画面選択領域、選択画面表示領域、レイアウト変更画面表示領域、及び転送先選択領域が設けられた画面レイアウト変更装置を備え、前記監視画面選択領域には、監視画面として表示画面登録部に登録され前記各水処理プラントの監視対象となる監視単位設備の選択画面が表示され、  前記選択画面表示領域には、前記監視画面選択領域で選択された複数の監視単位設備の前記監視画面及びそれらの監視対象計測値が画面上に表示され、前記選択画面表示領域に表示された前記複数の監視単位設備の監視画面の各々及びその画面上に表示の監視対象計測値が、それぞれ前記レイアウト変更画面表示領域にドラッグされることにより、前記画面レイアウト変更装置の機能によって前記監視画面から変更されたレイアウト変更画面及びその画面上に表示の監視対象計測値が、前記レイアウト変更画面表示領域に表示され、前記レイアウト変更画面表示領域に表示された前記レイアウト変更画面及びその画面上に表示の監視対象計測値が、前記転送先選択領域で選択された転送先に転送装置によって転送される水処理プラント監視システムである。
【００４３】
本実施の形態１は、また、監視管轄の水処理プラントの設備運転状態及び計測値を表示画面に表示して監視を行う複数の監視装置、及び表示画面に、監視画面選択領域、選択画面表示領域、レイアウト変更画面表示領域、及び転送先選択領域が設けられた画面レイアウト変更装置を備え、前記監視画面選択領域には、監視画面として表示画面登録部に登録され前記各水処理プラントの監視対象となる監視単位設備の選択画面が表示され、前記選択画面表示領域には、前記監視画面選択領域で選択された複数の監視単位設備の前記監視画面及びそれらの監視対象計測値が画面上に表示され、前記選択画面表示領域に表示された前記複数の監視単位設備の監視画面の各々の、範囲指定により指定された範囲内の画面及びその画面上に表示の監視対象計測値が、それぞれ前記レイアウト変更画面表示領域にドラッグされることにより、前記画面レイアウト変更装置の機能によって前記監視画面から変更されたレイアウト変更画面及びその画面上に表示の監視対象計測値が、前記レイアウト変更画面表示領域に表示され、前記レイアウト変更画面表示領域に表示された前記レイアウト変更画面及びその画面上に表示の監視対象計測値が、前記転送先選択領域で選択された転送先に転送装置によって転送される水処理プラント監視システムである。
つまり、前記選択画面表示領域に表示された前記監視画面の範囲を指定でき、指定され
た範囲の前記監視画面を前記レイアウト変更画面表示領域に表示することができるものである。
【００４４】
本実施の形態１は、更に概念的には、水処理プラントの設備運転状態及び計測値を監視画面に表示して監視を行う複数の監視装置と、前記監視装置が表示する前記監視画面が登録される表示画面登録部と、前記表示画面登録部に登録された前記監視画面を選択するための監視画面選択領域、この監視画面選択領域により選択された前記監視画面を表示する選択画面表示領域、この選択画面表示領域に表示された前記監視画面の中で指示されたものが指示されたようにレイアウトを変更されて表示されるレイアウト変更画面表示領域が設けられた画面を表示し、前記監視装置で監視するための前記監視画面を作成する画面レイアウト変更装置とを備え、前記レイアウト変更画面表示領域に表示されたレイアウト変更画面及びその画面上に表示される監視対象計測値が前記監視装置で表示できるように、指示された前記監視装置に送られる水処理プラント監視システムである。
このように、「選択画面表示領域に表示された前記監視画面の中で指示されたものが指示されたようにレイアウトを変更されてレイアウト変更画面表示領域に表示される」場合における「指示」するオペレーションは前記ドラッグを意味するが、ドラッグは一事例であり、ドラッグ以外でもよいのは勿論である。
【００４５】
本実施の形態１は、また、前記複数のローカル監視装置により監視される各水処理プラントの設備を総合監視装置によって総合的に監視する総合監視所に、前記画面レイアウト変更装置が設けられている水処理プラント監視システムであり、また、前記総合監視装置と前記画面レイアウト変更装置とが個別に設けられ或いは前記総合監視装置に前記画面レイアウト変更装置が組み込まれ前記表示画面により前記総合的監視が行われる水処理プラント監視システムであり、また、前記転送先が、前記複数の監視装置のうち異常が発生している水処理プラントの監視管轄である監視装置である水処理プラント監視システムであり、また、前記転送先が携帯端末である水処理プラント監視システムである。
換言すれば、前記監視装置が、各水処理プラントの設備を監視するローカル監視装置と、すべての水処理プラントの設備を監視する総合監視装置とであり、前記総合監視装置が設けられる総合監視所に前記画面レイアウト変更装置を設けた水処理プラント監視システムである。また、前記水処理プラントが監視管轄の複数個の水処理プラントである。また、前記総合監視装置と前記画面レイアウト変更装置とが個別に設けられている水処理プラント監視システムである。また、前記監視画面を表示する携帯端末をさらに備え、前記携帯端末に前記レイアウト変更画面及びその画面上に表示される監視対象計測値を送る水処理プラント監視システムである。
【００４６】
実施の形態２．
以下、この発明の実施の形態２を、図５〜図７によって説明する。図５は大規模な一つの水処理プラントにこの発明を適用した水処理プラント監視システムのシステム構成の事例を示す図、図６は図５における画面レイアウト変更装置、転送装置、及び監視装置の動作（機能）の事例をフローチャートで示す図、図７は図５における画面レイアウト変更装置の画面表示例を示す図である。
【００４７】
前述の実施の形態１は同一河川の異なる複数箇所に設けられた各水処理プラントに跨る水処理プラントシステムにこの発明を適用した水処理プラント監視システムの一例を例示したが、本実施の形態２は、例えば比較的大きな市街地を対象にした大規模な一つの水処理プラント、この発明を適用した水処理プラント監視システムの一例を例示するものである。図７に示す画面レイアウト変更装置の画面表示例は、Ｂプラント（水処理）2B内の水処理管理、制御を行う水処理プラント監視システムを例としてある。
【００４８】
本実施の形態２においては、水処理プラント監視システムは、図５に例示のように、一
つの水処理プラント2Bに対してNo.1監視装置2B21，No.2監視装置2B22，携帯端末2Bmv，画面レイアウト変更装置2B5，表示画面登録部2B6，レイアウト画面登録部2B7，転送装置2B8が設けられている点が、前述の実施の形態１と異なり、一つの水処理プラント2Bを、その規模が大きくその処理も複雑高度となることから複数の監視装置2B21，2B22で監視制御し、異常が発生した場合には一台の監視装置で異常監視、異常対応制御を行い、他の監視装置では異常関連設備・設備構成機器以外の設備・設備構成機器に対する通常の監視制御を行う。
【００４９】
なお、画面レイアウト変更装置2B5は前述の実施の形態１における画面レイアウト変更
装置５と、表示画面登録部2B6は前述の実施の形態１における表示画面登録部６と、レイ
アウト画面登録部2B7は前述の実施の形態１におけるレイアウト画面登録部７と、転送装
置2B8は前述の実施の形態１における転送装置８と、それぞれ同一機能である。
【００５０】
また、実施の形態２は、一つの水処理プラントを監視対象としているけれども、その画面レイアウト変更装置2B5の主機能は、図６に例示のように、前述の実施の形態１におけ
る画面レイアウト変更装置５の主機能（図３）と同じである。
【００５１】
画面レイアウト変更装置2B5の表示画面5Dについては、図７に例示のように、監視画面
選択領域5Da1には異常表示され監視画面の選択操作がされる操作ボタンとしてＢ受変電設備B1B，Ｂ送水設備B2B，Ｂプラント内監視制御ネットワークB3Bが設けられ、選択画面表
示領域5Da2には監視単位設備の監視画面としてＢ送水設備の監視画面B2BとＢプラント内
監視制御ネットワークの監視画面B3BDとが表示され、転送先選択領域5Da3には転送先の選択操作がされる操作ボタンとしてＢ携帯端末B5Bmvs，ＢNo.1監視装置B5Bms1，ＢNo.2監視装置B5Bms2が設けられ、レイアウト変更画面表示領域5Dの転送可能領域5Da4taにドラッグされたレイアウト変更画面が複合画面B2BDsac，B3BDsacであることが、前述の実施の形態１と異なるが、監視画面選択操作、選択画面表示領域5Da2の表示画面の拡大縮小操作、選択画面表示領域5Da2の表示画面のドラッグ対象範囲の選定操作、選択画面表示領域5Da2からレイアウト変更画面表示領域5Da4へのドラッグによる監視画面のレイアウト変更、転送先選択操作、および転送操作の各々による動作、機能は、前述の実施の形態１と同じであり、当該動作、機能の本実施の形態２での説明は割愛する。
【００５２】
本実施の形態２は、一つの水処理プラントを監視対象として、表示画面登録部６に予め準備された複数の監視画面を利用し、異常プラント、異常計測値に関連する人為的に選択された複数の監視単位設備の各監視画面が選択画面表示領域5Da2に表示され、選択画面表示領域5Da2に表示された複数の監視単位設備の監視画面の画面全体あるいは一部（少なくとも一部）を適当な大きさに拡大・縮小した画面（計測値表示も含む）をマウス等でドラッグして、表示画面登録部に予め準備された監視画面には無いレイアウトの画面（監視画面からレイアウトを変更した画面）をレイアウト変更画面表示領域5Da4に、計測値表示（被計測量の変化に伴ってダイナミックに変化する）も含めて貼り付け、このレイアウト変更画面表示領域5Da4に貼り付けられたレイアウト変更画面（計測値表示も含む）が、転送ボタンB6tiが操作されることにより、転送先選択ボタンで選択された転送先に転送され、転送先の表示画面に、転送されてきたレイアウト変更画面（計測値表示も含む）が表示されるので、転送された転送先装置にて故障等の異常情報を集約監視・制御をすることが可能になり、故障に対する操作性が向上する。
【００５３】
本実施の形態２は、前述のように、プラントの設備運転状態及び計測値を表示する水処理プラントの監視システムにおいて、画面レイアウト変更装置により、予め準備された複数の監視単位設備の監視画面（レイアウトが固定の監視画面）から、監視に必要な画面を絞り込み、それらの画面を複合して監視に必要な複合画面にレイアウトし、この監視に好都合なようにレイアウトされた画面およびその監視対象計測値が、転送装置によって監視
を行う装置に転送されるものであり、具体的には、水処理プラントの設備運転状態及び計測値を表示画面に表示して監視を行う複数の監視装置、及び表示画面に、監視画面選択領域、選択画面表示領域、レイアウト変更画面表示領域、及び転送先選択領域が設けられた画面レイアウト変更装置を備え、前記監視画面選択領域には、監視画面として表示画面登録部に登録され監視対象となる監視単位設備の選択画面が表示され、前記選択画面表示領域には、前記監視画面選択領域で選択された複数の監視単位設備の前記監視画面及びそれらの監視対象計測値が画面上に表示され、前記選択画面表示領域に表示された前記複数の監視単位設備の監視画面の各々及びその画面上に表示の監視対象計測値が、それぞれ前記レイアウト変更画面表示領域にドラッグされることにより、前記画面レイアウト変更装置の機能によって前記監視画面から変更されたレイアウト変更画面及びその画面上に表示の監視対象計測値が、前記レイアウト変更画面表示領域に表示され、前記レイアウト変更画面表示領域に表示された前記レイアウト変更画面及びその画面上に表示の監視対象計測値が、前記転送先選択領域で選択された転送先に転送装置によって転送される水処理プラント監視システムである。
【００５４】
本実施の形態２は、また、水処理プラントの設備運転状態及び計測値を表示画面に表示して監視を行う複数の監視装置、及び表示画面に、監視画面選択領域、選択画面表示領域、レイアウト変更画面表示領域、及び転送先選択領域が設けられた画面レイアウト変更装置を備え、前記監視画面選択領域には、監視画面として表示画面登録部に登録され監視対象となる監視単位設備の選択画面が表示され、前記選択画面表示領域には、前記監視画面選択領域で選択された複数の監視単位設備の前記監視画面及びそれらの監視対象計測値が画面上に表示の表示され、前記選択画面表示領域に表示された前記複数の監視単位設備の監視画面の各々の、範囲指定により指定された範囲内の画面及びその画面上に表示の監視対象計測値が、それぞれ前記レイアウト変更画面表示領域にドラッグされることにより、前記画面レイアウト変更装置の機能によって前記監視画面から変更されたレイアウト変更画面及びその画面上に表示の監視対象計測値が、前記レイアウト変更画面表示領域に表示され、前記レイアウト変更画面表示領域に表示された前記レイアウト変更画面及びその画面上に表示の監視対象計測値が、前記転送先選択領域で選択された転送先に転送装置によって転送される水処理プラント監視システムである。
【００５５】
本実施の形態２は、更に概念的には、水処理プラントの設備運転状態及び計測値を監視画面に表示して監視を行う複数の監視装置と、前記監視装置が表示する前記監視画面が登録される表示画面登録部と、前記表示画面登録部に登録された前記監視画面を選択するための監視画面選択領域、この監視画面選択領域により選択された前記監視画面を表示する選択画面表示領域、この選択画面表示領域に表示された前記監視画面の中で指示されたものが指示されたようにレイアウトを変更されて表示されるレイアウト変更画面表示領域が設けられた画面を表示し、前記監視装置で監視するための前記監視画面を作成する画面レイアウト変更装置とを備え、前記レイアウト変更画面表示領域に表示されたレイアウト変更画面及びその画面上に表示される監視対象計測値が前記監視装置で表示できるように、指示された前記監視装置に送られる水処理プラント監視システムである。
【００５６】
本実施の形態２は、また、前記転送先が、前記複数の監視装置のうち異常が発生している監視単位設備の監視管轄である監視装置である水処理プラント監視システムであり、また、前記転送先が携帯端末である水処理プラント監視システムである。また、前記水処理プラントが１個の水処理プラントである。
【００５７】
実施の形態３．
以下、この発明の実施の形態３を、図８および図９によって説明する。図８は大規模な一つの水処理プラントにこの発明を適用した水処理プラント監視システムの他のシステム構成の事例を示す図、図９は図８における画面切り取り機能の動作の事例をフローチャー
トで示す図である。
【００５８】
本実施の形態３は、図８に例示のように、前述の実施の形態２に例示の画面レイアウト変更装置2B5に画面切り取り機能2B51を付加した事例である。
【００５９】
次に画面切り取り機能2B51の動作、機能について図９によって、図８および図７と関連づけながら説明する。
画面レイアウト変更装置2B5（図８）にて選択画面表示領域5Da2（図７）に表示された
選択された監視画面B2BD，B3BD（図７）に対して高度専門要員がドラッグを行い範囲（図７の一点鎖線で囲む範囲2BDsa，3BDsa）が指定される（ステップＳＴ−２１）。
ステップＳＴ−２１で指定された範囲（2BDsa，3BDsa）内に表示されている画面は表示画面登録部2B6に登録され（ステップＳＴ−２２）、ステップＳＴ−２１で指定された範
囲（2BDsa，3BDdsa）内に表示されている画面を高度専門要員がドラッグを行いレイアウ
ト変更画面表示領域にレイアウトして監視画面とは別の画面（レイアウト変更画面（B2BDsacとB3BDsacとの複合画面））（図７）を作成し、該レイアウト変更画面がレイアウト画面登録部2B7に登録される（ステップＳＴ−２３）。
【００６０】
これにより、故障情報が表示されている画面の中の、特に必要な部分のみを、レイアウト画面登録部2B7登録することが可能となり、より見やすい画面レイアウトの変更を行な
うことができ、このようなより見やすいレイアウト変更画面を転送先に送ることができ、転送先では、当該見やすいレイアウト変更画面を表示画面で見ながら、それ程高度な専門知識や経験積んでない担当者（非高度専門要員）でも、容易により適正な監視、保守を行うことができる。
【００６１】
本実施の形態３は、前述のように、プラントの設備運転状態及び計測値を表示する水処理プラントの監視システムにおいて、画面レイアウト変更装置により、予め準備された複数の監視単位設備の監視画面から、それらの一部を切り取って複合して監視に必要な画面にレイアウトし、この監視に好都合なようにレイアウトされた画面およびその監視対象計測値が、転送装置によって監視を行う装置に転送されるものであり、具体的には、水処理プラントの設備運転状態及び計測値を表示画面に表示して監視を行う複数の監視装置、及び表示画面に、監視画面選択領域、選択画面表示領域、レイアウト変更画面表示領域、及び転送先選択領域が設けられた画面レイアウト変更装置を備え、前記監視画面選択領域には、監視画面として表示画面登録部に登録され監視対象となる監視単位設備の選択画面が表示され、前記選択画面表示領域には、前記監視画面選択領域で選択された複数の監視単位設備の前記監視画面及びそれらの監視対象計測値が画面上に表示の表示され、前記選択画面表示領域に表示された前記複数の監視単位設備の監視画面の各々の、範囲指定により指定された範囲内の画面及びその画面上に表示の監視対象計測値が、それぞれ前記レイアウト変更画面表示領域にドラッグされることにより、前記画面レイアウト変更装置の機能によって前記監視画面から変更されたレイアウト変更画面及びその画面上に表示の監視対象計測値が、前記レイアウト変更画面表示領域に表示され、前記レイアウト変更画面表示領域に表示された前記レイアウト変更画面及びその画面上に表示の監視対象計測値が、前記転送先選択領域で選択された転送先に転送装置によって転送される水処理プラント監視システムである。
【００６２】
実施の形態４．
以下、この発明の実施の形態４を、図１０および図１１によって説明する。図１０は大規模な一つの水処理プラントにこの発明を適用した水処理プラント監視システムの更に他のシステム構成の事例を示す図、図１１は図１０における画面自動選択機能の動作の事例をフローチャートで示す図である。
【００６３】
本実施の形態４は、図１０に例示のように、前述の実施の形態２に例示の画面レイアウト変更装置2B5に画面自動選択機能2B52を、No.1監視装置2B21に画面表示カウント機能2B211を、No.2監視装置2B22に画面表示カウント機能2B212を、それぞれ付加した事例である
。
【００６４】
画面表示カウント機能2B211，2B212について説明する。
画面表示カウント機能2B211，2B212は、レイアウト変更画面の転送先の監視装置2B21，2B22にてオペレータが画面を表示した回数を各画面毎にカウントし、そのカウント結果（表示カウント値）を表示画面登録部2B6に保存しておく。
【００６５】
次に画面自動選択機能2B52について図１１によって説明する。
画面レイアウト変更装置2B5にて、水処理プラント2Bより故障情報などの異常情報を収
集する（ステップＳＴ−３１）。
表示画面登録部2B6より、その故障情報などの異常情報が登録されている画面を自動的
に取得し、それらを前記表示カウント値によってソートを行う（ステップＳＴ−３２）。
ソート結果の大きい順から所定個の画面を自動的に選択し、当該画面の監視対象計測値と共に自動的にレイアウト画面登録部2B7に登録すると共に当該画面およびその監視対象
計測値をレイアウト変更画面表示領域5Da4の転送可能領域5Da4taに自動的に表示する（ステップＳＴ−３３）。
【００６６】
これにより、前記画面の選択・前記範囲指定、前記指定範囲内の画面の選択画面表示領域からレイアウト変更画面表示領域へのドラッグ、レイアウト変更画面表示領域の画面のレイアウト変更画面登録部への登録の操作を常にすることをしなくても、前記転送先装置を選択した時点で、故障情報監視に必要と思われる画面の初期登録をすることができる。
【００６７】
本実施の形態４は、前述のように、水処理プラントの設備運転状態及び計測値を表示する水処理プラントの監視システムにおいて、監視に必要な画面を表示回数により自動的に選択・登録する手段を備えたものであり、具体的には、前記転送先の表示画面に表示された画面および画面毎の表示回数が登録され、この登録された画面が異常発生時に前記レイアウト変更画面表示領域に自動的に表示される水処理プラント監視システムである。また、前記監視装置に表示された前記監視画面毎の表示回数が前記表示画面登録部に登録され、前記監視対象計測値が異常状態である場合に、前記監視対象計測値を表示する前記監視画面の中で前記監視装置での表示回数が大きいものから所定個の前記監視画面が前記レイアウト変更画面表示領域に自動的に表示する水処理プラント監視システムである。
【００６８】
実施の形態５．
以下、この発明の実施の形態５を、図１２および図１３によって説明する。図１２は大規模な一つの水処理プラントにこの発明を適用した水処理プラント監視システムの更に他のシステム構成の事例を示す図、図１３は図１２における画面自動選択機能の動作の事例をフローチャートで示す図である。
【００６９】
本実施の形態５は、図１２に例示のように、前述の実施の形態２に例示の画面レイアウト変更装置2B5に画面内容変更機能2B53を付加した事例である。
【００７０】
画面内容変更機能2B53について図１３によって説明する。
画面レイアウト変更装置2B5にて固定レイアウトの画面を選択する（ステップＳＴ−４
１）。
画面レイアウト変更装置2B5の表示画面上の選択画面をクリックすることで、その画面
に表示されている情報の一覧を、画面レイアウト変更装置2B5の表示画面上に表示する（
ステップＳＴ−４２）。
ステップＳＴ−４２による情報の一覧より、この集約監視で必要のないデータを選択し削除する（ステップＳＴ−４３）。
このステップＳＴ−４３での情報削除をうけて、画面のサイズ・表示項目数を変更し、画面自身のサイズを小さくする（ステップＳＴ−４４）。
【００７１】
これにより、拡大・縮小可能な画面だけでなく、固定レイアウトを持つ画面も、不要な情報を削除することで縮小することができ、集約監視に必要なデータをレイアウトする際のサイズを小さくすることができる。
【００７２】
なお、前記固定レイアウトの画面とは、「前述の選択画面表示領域からレイアウト変更画面表示領域へドラッグされレイアウト変更画面登録部へ登録されたレイアウト変更画面」のことである。
【００７３】
本実施の形態５は、前述のように、プラントの設備運転状況及び計測値を表示する水処理プラントの監視システムにおいて、固定レイアウト画面の情報を削除することでサイズを小さくする手段を備えたものであり、観点を変えれば、前記画面レイアウト変更装置に、前記レイアウト変更画面表示領域に表示された画面を変更する画面内容変更機能が設けられている水処理プラント監視システムである。つまり、前記画面レイアウト変更装置が、前記レイアウト変更画面表示領域に表示された画面を変更する画面内容変更機能を備えている水処理プラント監視システムである。
【００７４】
実施の形態６．
以下、この発明の実施の形態６を、図１４および図１５によって説明する。図１４は大規模な一つの水処理プラントにこの発明を適用した水処理プラント監視システムの更に他のシステム構成の事例を示す図、図１５は図１４におけるメモ作成機能の動作の事例をフローチャートで示す図である。
【００７５】
本実施の形態６は、図１４に例示のように、前述の実施の形態２に例示の画面レイアウト変更装置2B5にメモ作成機能2B54を、No.1監視装置2B21にメモ表示機能2B212を、No.2監視装置2B22にメモ表示機能2B222を、携帯端末2Bmvにメモ表示機能2Bmv1を、それぞれ付加した事例である。
【００７６】
メモ作成・表示機能について図１５によって説明する。
画面レイアウト変更装置2B5にて転送先装置（No.1監視装置2B21、No.2監視装置2B22、
携帯端末2Bmvなど）へ転送するための画面レイアウトを作成する際に、当該転送先装置の集約監視を行うオペレータに対する指示等のメモを作成する（ステップＳＴ−５１）。
ステップＳＴ−５１で作成したメモも、その他選択画面と同様に転送先装置の画面レイアウト上に貼り付け、画面およびその監視対象計測値と共に転送先装置へ転送される（ステップＳＴ−５２）。
監視装置2B21，2B22・携帯端末2Bmvでは、メモも他画面と同様に表示できる（ステップＳＴ−５３）。
【００７７】
これにより、集約監視を行う際の指示事項等の伝達を画面の転送と同時に行うことができるようになり、前記高度専門要員から各転送先の監視員や保守員など前記非高度専門要員への指示漏れをなくすことができる。
【００７８】
本実施の形態６は、前述のように、水処理プラントの設備運転状態及び計測値を表示する水処理プラントの監視システムにおいて、転送する画面内に指示事項等を入力するメモを配置する手段を備えたものであり、具体的には、前記画面レイアウト変更装置に、メモ作成機能が設けられ、このメモ作成機能により作成されたメモが、前記レイアウト変更画
面表示領域に表示された画面およびその監視対象計測値と共に前記転送先に転送される水処理プラント監視システムである。つまり、前記画面レイアウト変更装置が、メモ作成機能を備え、このメモ作成機能により作成されたメモが、前記レイアウト変更画面と共に指示された前記監視装置に送られる水処理プラント監視システムである。
【００７９】
実施の形態７．
以下、この発明の実施の形態７を、図１６および図１７によって説明する。図１６は大規模な一つの水処理プラントにこの発明を適用した水処理プラント監視システムの更に他のシステム構成の事例を示す図、図１７は図１６における画面レイアウト再読込み機能の動作の事例をフローチャートで示す図である。
【００８０】
本実施の形態７は、図１６に例示のように、前述の実施の形態２に例示の画面レイアウト変更装置2B5に画面レイアウト再読込み機能2B55を付加した事例である。
【００８１】
画面レイアウト再読込み機能について図１７によって説明する。
転送先へ転送した画面レイアウトを、発端となった故障信号と一緒にレイアウト画面登録部2B7に保存する（ステップＳＴ−６１）。
再度、同一故障が発生した際に、画面レイアウト変更装置2B5にて、過去にレイアウト
変更画面登録部2B7に故障種別とレイアウト変更画面とを関連づけて定義した画面レイア
ウト定義を検索する（ステップＳＴ−６２）。
検索された過去の同一故障の画面レイアウトを今回の故障の画面レイアウトの初期表示とする（ステップＳＴ−６３）。
【００８２】
これにより、画面レイアウト変更において、以前の画面レイアウトが再利用できる。
【００８３】
本実施の形態７は、前述のように、水処理プラントの設備運転状態及び計測値を表示する水処理プラントの監視システムにおいて、配置した画面を保存し、同様の状況で再利用する手段を備えたものであり、具体的には、前記画面レイアウト変更装置に、画面レイアウト再読込み機能が設けられ、前回と同じ異常が発生すれば当該異常に対応する画面が、前記画面レイアウト再読込み機能によって前記レイアウト変更画面表示領域に表示される水処理プラント監視システムである。つまり、前記レイアウト変更画面を発生した異常と共に登録するレイアウト画面登録部を備え、前記画面レイアウト変更装置が、発生している異常に対応する前記レイアウト画面登録部に保存されている前記レイアウト変更画面を自動で読み出して、前記レイアウト変更画面表示領域に表示する画面レイアウト再読込み機能機能を備えている水処理プラント監視システムである。
【００８４】
実施の形態８．
以下、この発明の実施の形態８を、図１８および図１９によって説明する。図１８は大規模な一つの水処理プラントにこの発明を適用した水処理プラント監視システムの更に他のシステム構成の事例を示す図、図１９は図１８におけるレイアウト修正機能の動作の事例をフローチャートで示す図である。
【００８５】
本実施の形態８は、図１８に例示のように、前述の実施の形態２に例示のNo.1監視装置2B21にレイアウト修正機能2B213を、No.2監視装置2B22にレイアウト修正機能2B223を、携帯端末2Bmvにレイアウト修正機能2Bmv2を、それぞれ付加した事例である。
【００８６】
レイアウト修正機能について図１９によって説明する。
No.1監視装置2B21、No.2監視装置2B22、携帯端末2Bmvの各監視画面にて画面レイアウトを移動・追加・拡大縮小し、そのレイアウトを保存する（ステップＳＴ−７１）。
ステップＳＴ−７１で保存したレイアウトを、画面レイアウト変更装置2B7に転送し、
過去の画面レイアウトとして保存する。（ステップＳＴ−７２）。
【００８７】
これにより、監視装置や携帯端末で集約監視を行っている最中に使いやすく変更した画面レイアウトを再利用することができる。
【００８８】
本実施の形態８は、前述のように、水処理プラントの設備運転状態及び計測値を表示する水処理プラントの監視システムにおいて、監視中にカスタマイズした画面を保存し、同様の状況で再利用する手段を備えたものであり、換言すれば、前記転送先の装置にレイアウト修正機能が設けられ、転送先の装置の表示画面に表示された画面が前記レイアウト修正機能により修正され、この修正された画面が、以後の前記画面レイアウト変更装置の表示画面への画面表示に利用されることを特徴とする水処理プラント監視システムである。つまり、前記レイアウト変更画面を登録するレイアウト画面登録部を備え、前記監視装置が、表示している画面のレイアウトを修正して前記レイアウト画面登録に登録するレイアウト修正機能を備えている水処理プラント監視システムである。
【００８９】
なお、図１〜図１９の各図中、同一符合は同一または相当部分を示す。
【００９０】
また、前述の実施の形態３〜８は、前述の実施の形態２に付加機能を追加した事例であるが、前述の実施の形態３〜８の各付加機能の全てを前述の実施の形態２に追加してもよい。
【００９１】
更にまた、前述の実施の形態３〜８の各付加機能の少なくとも一つの付加機能を前述の実施の形態１に追加してもよい。
【図面の簡単な説明】
【００９２】
【図１】この発明の実施の形態１を示す図で、同一河川の複数箇所に水処理プラントが設けられている水処理プラント配置事例を示す図である。
【図２】この発明の実施の形態１を示す図で、図１の事例にこの発明を適用した水処理プラント監視システムのシステム構成の事例を示す図である。
【図３】この発明の実施の形態１を示す図で、図２における画面レイアウト変更装置、転送装置、及び監視装置の動作の事例をフローチャートで示す図である。
【図４】この発明の実施の形態１を示す図で、図２における画面レイアウト変更装置の画面表示例を示す図である。
【図５】この発明の実施の形態２を示す図で、大規模な一つの水処理プラントにこの発明を適用した水処理プラント監視システムのシステム構成の事例を示す図である。
【図６】この発明の実施の形態２を示す図で、図５における画面レイアウト変更装置、転送装置、及び監視装置の動作の事例をフローチャートで示す図である。
【図７】この発明の実施の形態２を示す図で、図５における画面レイアウト変更装置の画面表示例を示す図である。
【図８】この発明の実施の形態３を示す図で、大規模な一つの水処理プラントにこの発明を適用した水処理プラント監視システムの他のシステム構成の事例を示す図である。
【図９】この発明の実施の形態３を示す図で、図７における画面切り取り機能の動作の事例をフローチャートで示す図である。
【図１０】この発明の実施の形態４を示す図で、大規模な一つの水処理プラントにこの発明を適用した水処理プラント監視システムの更に他のシステム構成の事例を示す図である。
【図１１】この発明の実施の形態４を示す図で、図１０における画面自動選択機能の動作の事例をフローチャートで示す図である。
【図１２】この発明の実施の形態５を示す図で、大規模な一つの水処理プラントにこの発明を適用した水処理プラント監視システムの更に他のシステム構成の事例を示す図である。
【図１３】この発明の実施の形態５を示す図で、図１２における画面内容変更機能の動作の事例をフローチャートで示す図である。
【図１４】この発明の実施の形態６を示す図で、大規模な一つの水処理プラントにこの発明を適用した水処理プラント監視システムの更に他のシステム構成の事例を示す図である。
【図１５】この発明の実施の形態６を示す図で、図１４におけるメモ作成機能の動作の事例をフローチャートで示す図である。
【図１６】この発明の実施の形態７を示す図で、大規模な一つの水処理プラントにこの発明を適用した水処理プラント監視システムの更に他のシステム構成の事例を示す図である。
【図１７】この発明の実施の形態７を示す図で、図１６における画面レイアウト再読込み機能の動作の事例をフローチャートで示す図である。
【図１８】この発明の実施の形態８を示す図で、大規模な一つの水処理プラントにこの発明を適用した水処理プラント監視システムの更に他のシステム構成の事例を示す図である。
【図１９】この発明の実施の形態８を示す図で、図１８におけるレイアウト修正機能の動作の事例をフローチャートで示す図である。
【符号の説明】
【００９３】
1d    河川支流、
1m    河川本流、
2A    水処理プラント（Ａプラント（水処理））、
2A1    Ａコントローラ、
2A2    監視装置（ローカル管理）、
2B    水処理プラント（Ｂプラント（水処理））、
2B21    No.1監視装置、
2B211    画面表示カウント機能、
2B212    メモ表示機能、
2B213    レイアウト修正機能、
2B22    No.2監視装置、
2B221    画面表示カウント機能、
2B222    メモ表示機能、
2B223    レイアウト修正機能、
2Bmv    携帯端末、
2Bmv1    メモ表示機能、
2Bmv2    レイアウト修正機能、
2B5    画面レイアウト変更装置、
2B51    画面切り取り機能、
2B52    画面自動選択機能、
2B53    画面内容変更機能、
2B54    メモ作成機能、
2B55    画面レイアウト再読込み機能、
2B6    表示画面登録部、
2B7    レイアウト画面登録部、
2B8    転送装置、
2B1    Ｂコントローラ、
2B2    総合監視装置（ローカル監視）（総合的監視）、
2BS    総合監視所、
2C    水処理プラント（Ｃプラント（水処理））、
2C1    Ｃコントローラ、
2C2    監視装置（ローカル管理）、
2mv    携帯端末、
３    プラント間ネットワーク（プラント内ネットワーク）、
４    降雨、
５    画面レイアウト変更装置、
5D    表示画面、
5Da1    監視画面選択領域、
5Da2    選択画面表示領域、
5Da3    転送先選択領域、
5Da4    レイアウト変更画面表示領域、
5Da4ta    転送可能領域、
5Da5    拡大縮小選択指示領域、
5Da6    転送指示領域
６    表示画面登録部、
７    レイアウト画面登録部、
８    転送装置、
AP1v    ＡプラントのポンプP1の入力電圧の測定値、
AP1o    ＡプラントのポンプP1の出力の測定値、
AP2v    ＡプラントのポンプP2の入力電圧の測定値、
AP2o    ＡプラントのポンプP2の出力の測定値、
B1A    Ａ受変電設備の操作ボタン、
B1B    Ｂ受変電設備の操作ボタン、
B1C    Ｃ受変電設備の操作ボタン、
B2A    Ａ送水設備の操作ボタン、
B2AD    選択された監視単位設備の監視画面、
2Adsa    範囲指定された一点鎖線で囲まれた範囲内の画面、
2Adsac    レイアウト変更画面表示領域5Da4内にレイアウトされた画面、
B2B    Ｂ送水設備の操作ボタン、
B2BD    選択された監視単位設備の監視画面、
2BDsa    範囲指定された一点鎖線で囲まれた範囲内の画面、
B2BDsac    レイアウト変更画面表示領域5Da4内にレイアウトされた画面、
B2C    Ｃ送水設備の操作ボタン、
B2CD    選択された監視単位設備の監視画面、
2Cdsa    範囲指定された一点鎖線で囲まれた範囲内の画面、
B2Cdsac    レイアウト変更画面表示領域5Da4内にレイアウトされた画面、
B3A    Ａプラント内監視制御ネットワークの操作ボタン、
B3B    Ｂプラント内監視制御ネットワークの操作ボタン、
B3BD    選択された監視単位設備の監視画面、
3BDsa    範囲指定された一点鎖線で囲まれた範囲内の画面、
B3BDsac    レイアウト変更画面表示領域5Da4内にレイアウトされた画面、
B3C    Ｃプラント内監視制御ネットワークの操作ボタン、
B4k    拡大ボタン、
B4s    縮小ボタン、
B5Ams    A監視装置の操作ボタン、
B5Amvs    A携帯端末の操作ボタン、
B5Bms    B監視装置の操作ボタン、
B5Bms1    No.1監視装置の操作ボタン、
B5Bms2    No.2監視装置の操作ボタン、
B5Bmvs    B携帯端末の操作ボタン、
B5Cms    C監視装置の操作ボタン、
B5Cmvs    C携帯端末の操作ボタン、
BP1v    ＢプラントのポンプP1の入力電圧の測定値、
BP1o    ＢプラントのポンプP1の出力の測定値、
BP2v    ＢプラントのポンプP2の入力電圧の測定値、
BP2o    ＢプラントのポンプP2の出力の測定値、
CP1v    ＣプラントのポンプP1の入力電圧の測定値、
CP1o    ＣプラントのポンプP1の出力の測定値、
CP2v    ＣプラントのポンプP2の入力電圧の測定値、
CP2o    ＣプラントのポンプP2の出力の測定値、
P1    ポンプ、
P2    ポンプ、
Pd1    水処理用の第一の池、
Pd2    水処理用の第二の池、
Vi    取水弁、
Vo    排水弁。
【図１】
2009181436.tif 000003
【図２】
2009181436.tif 000004
【図３】
2009181436.tif 000005
【図４】
2009181436.tif 000006
【図５】
2009181436.tif 000007
【図６】
2009181436.tif 000008
【図７】
2009181436.tif 000009
【図８】
2009181436.tif 000010
【図９】
2009181436.tif 000011
【図１０】
2009181436.tif 000012
【図１１】
2009181436.tif 000013
【図１２】
2009181436.tif 000014
【図１３】
2009181436.tif 000015
【図１４】
2009181436.tif 000016
【図１５】
2009181436.tif 000017
【図１６】
2009181436.tif 000018
【図１７】
2009181436.tif 000019
【図１８】
2009181436.tif 000020
【図１９】
2009181436.tif 000021